(57)【特許請求の範囲】
【請求項１】
第１の記録媒体に記録された記録データを第２の記録媒体にコピーする情報記録装置において、
外部から供給されるコンテンツ情報を圧縮する圧縮手段と、
この圧縮手段により圧縮された記録データを前記第１の記録媒体に記録し、また前記第１の記録媒体に記録された記録データを読み出す記録再生手段と、
この記録再生手段が前記第１の記録媒体から読み出す記録データを復元する復元手段と、
前記第１の記録媒体に記録データを記録する際に、記録データに含まれるコピー制御情報を前記第１の記録媒体のデータ管理領域に保存する保存手段と、
前記第１の記録媒体に記録された記録データを前記第２の記録媒体にコピーする際に、前記データ管理領域に保存されたコピー制御情報を読み出しチェックするチェック手段と、
このチェック手段によるチェックの結果がコピー可である場合に、前記チェック手段による前記第１の記録媒体に記録された記録データ中に含まれるコピー制御情報の再チェックを行わずに記録データを前記第２の記録媒体にコピーする制御手段と
を具備したことを特徴とする情報記録装置。
【請求項２】
磁気ディスク装置に内蔵された磁気ディスクまたはＤＶＤ−ＲＡＭ装置に着脱自在に装着されるＤＶＤ−ＲＡＭディスクにデータを記録する情報記録装置において、
外部から供給されるコンテンツ情報を圧縮する圧縮手段と、
この圧縮手段により圧縮された記録データを復元する復元手段と、
前記圧縮手段により圧縮された記録データを前記磁気ディスク装置または前記ＤＶＤ−ＲＡＭ装置に供給する手段と、
前記圧縮手段により圧縮された記録データを前記磁気ディスクに記録する際に、記録される記録データに含まれるコピー制御情報を前記磁気ディスクのデータ管理領域に保存する保存手段と、
前記磁気ディスクに記録された記録データを前記ＤＶＤ−ＲＡＭディスクにコピーする際に、前記データ管理領域に保存されたコピー制御情報をチェックするチェック手段と、
このチェック手段によるチェックの結果がコピー可である場合に、前記チェック手段による前記磁気ディスクに記録された記録データ中に含まれるコピー制御情報の再チェックを行わずに前記磁気ディスクに記録された記録データを前記ＤＶＤ−ＲＡＭディスクにコピーする制御手段と
を具備したことを特徴とする情報記録装置。
【請求項３】
第１の記録媒体に記録された記録データを第２の記録媒体にコピーする情報記録方法において、
外部から供給されるコンテンツ情報を圧縮し、
圧縮された記録データを前記第１の記録媒体に記録する際に、記録データに含まれるコピー制御情報を前記第１の記録媒体のデータ管理領域に保存し、
前記第１の記録媒体に記録された記録データを前記第２の記録媒体に記録する際に、前記データ管理領域に保存されたコピー制御情報をチェックし、
チェックの結果、コピー制御情報がコピー許可を示している際には圧縮されて第１の記録媒体に記録された記録データを復元することなく第２の記録媒体に記録することを特徴とする情報記録方法。
【発明の詳細な説明】
【０００１】
【発明の属する技術分野】
本発明は映像情報または音声情報等のコンテンツ情報を記録する情報記録装置および方法に関する。
【０００２】
【従来の技術】
近年、特開平１１−１７６０９６号公報に開示されるように、磁気ディスク装置およびＤＶＤ−ＲＡＭディスク装置等の光ディスク装置を備え、ＭＰＥＧ規格に基づき圧縮されたデジタル動画等の情報を可変ビットレートで磁気ディスクまたはＤＶＤ−ＲＡＭディスク等の光ディスクに記録し、また磁気／光ディスクから情報を再生するデジタルビデオレコーダが開発されている。
【０００３】
このデジタルビデオレコーダは、磁気ディスク装置および光ディスク装置の２つの記録装置を備えていることから、例えばデジタル動画情報等のコンテンツ情報を一時的に磁気ディスクに記録しておき、後に磁気ディスクに記録したデジタル動画情報を光ディスクにダビング（コピー）することができる。しかし、このシステム内でのダビング処理は無制限に行なえるものではなく、不正コピー防止チェック処理を行ないながら実行されなければならない。
【０００４】
この不正コピー防止チェック方法としては、例えば特開２０００−１２３４８０号公報に開示されたものがある。この方法は、映像信号に含まれる電子透かし情報やＣＧＭＳ（Ｃｏｐｙ  Ｇｅｎｅｒａｔｉｏｎ  Ｍａｎａｇｅｍｅｎｔ  Ｓｙｓｔｅｍ）方式の付加情報等のコピー制御情報を検出して記録再生制御を行なうものである。
【０００５】
【発明が解決しようとする課題】
しかしながら、特開２０００−１２３４８０号公報に開示された不正コピー防止チェック方法では、映像信号等のコンテンツ情報に含まれるコピー制御情報を検出するためにＭＰＥＧ規格で圧縮された信号を復元する必要がある。すなわち、一度圧縮記録した信号を一旦復元してから再度圧縮しながらコピー制御情報を検出するので、ダビング処理に要する時間が映像信号の録画時間と同じだけ必要となり、ダビング処理の時間が長くなるという問題点があった。
【０００６】
そこで、本発明の目的は、不正コピー防止チェック処理を行ないつつダビング（コピー）処理に要する時間を短くする情報記録装置及び方法を提供することにある。
【０００７】
【課題を解決するための手段】
上記目的を達成するために、本発明の情報記録装置は、外部から供給されるコンテンツ情報を圧縮する圧縮手段と、この圧縮手段により圧縮された記録データを前記第１の記録媒体に記録し、また前記第１の記録媒体に記録された記録データを読み出す記録再生手段と、この記録再生手段が前記第１の記録媒体から読み出す記録データを復元する復元手段と、前記第１の記録媒体に記録データを記録する際に、記録データに含まれるコピー制御情報を前記第１の記録媒体のデータ管理領域に保存する保存手段と、前記第１の記録媒体に記録された記録データを前記第２の記録媒体にコピーする際に、前記データ管理領域に保存されたコピー制御情報を読み出しチェックするチェック手段と、このチェック手段によるチェックの結果がコピー可である場合に、前記チェック手段による前記第１の記録媒体に記録された記録データ中に含まれるコピー制御情報の再チェックを行わずに記録データを前記第２の記録媒体にコピーする制御手段と、を具備したことを特徴としている。
【０００８】
本発明によれば、チェック手段によるチェック結果に応じて、復元手段を介さずに第１の記録媒体に記録された記録データを第２の記録媒体に記録することができるので、第１の記録媒体から第２の記録媒体へのコピー処理が短縮できる。
【００１１】
【発明の実施の形態】
以下、図面を参照して、本発明の一実施形態に係わる情報記録再生装置を説明する。
【００１２】
本発明に係わる情報記録再生装置の代表的な一実施形態として、ＭＰＥＧ２規格に基づきエンコードされた動画等のコンテンツ情報を可変ビットレートで記録／再生するＤＶＤデジタルビデオレコーダがある。図１はこのＤＶＤデジタルビデオレコーダの構成を説明するブロック図である。
【００１３】
ＤＶＤデジタルビデオレコーダ１は、レコーダ１の全体の制御を司るメインプロセッサユニット（以下、ＭＰＵと称する）１０と、入力される映像／音声等のコンテンツ情報をＭＰＥＧ１またはＭＰＥＧ２規格に基づきエンコードすなわちＭＰＥＧ圧縮しＤＶＤ規格に基づくファイル構造の記録データを生成するエンコーダ部２０と、反複書込み／読出し可能でありＤＶＤデジタルビデオレコーダ１に対して着脱自在なディスク記録媒体であるＤＶＤ−ＲＡＭディスク３０と、ＤＶＤ−ＲＡＭディスク３０を駆動しＤＶＤ−ＲＡＭディスク３０への記録データの書込みおよびＤＶＤ−ＲＡＭディスク３０からの記録データの読出しを行うディスクドライブ部４０と、ＤＶＤ−ＲＡＭディスク３０に記録されたデータをデコードするデコーダ部５０と、エンコーダ部２０からの記録データをディスクドライブ部４０に供給しまたディスクドライブ部４０から読み出された記録データをデコーダ部５０に供給するデータプロセッサ部６０と、ディスクドライブ部４０を介して記録されるデータまたはディスクドライブ部４０から読み出される記録データを一定量分バッファリングする一時記憶部である磁気ディスクを備えた磁気ディスクドライブ（以下、ＨＤＤと称する）部７０から構成される。
【００１４】
ＭＰＵ部１０は、ＤＶＤデジタルビデオレコーダ１を制御するための制御プログラムが格納されたＲＯＭ１１およびプログラム実行に必要なワークエリアを提供するＲＡＭ１２を有する。ＭＰＵ部１０はＤＶＤデジタルビデオレコーダ１のコントロールパネル上に設けられたボタンまたはリモコン装置からなるキー入力部１３から操作要求データを受ける。
【００１５】
エンコーダ部２０は、ＡＶ入力部９１またはテレビジョン（ＴＶ）チューナ部９２から入力されるアナログオーディオ／ビデオ信号をデジタルオーディオ／ビデオ信号に変換するＡ／Ｄコンバータ２１、Ａ／Ｄコンバータ２１で変換されたデジタルビデオ信号をＭＰＥＧ１またはＭＰＥＧ２規格に基づき可変ビットレートで圧縮されたデジタル信号に変換しまたＡ／Ｄコンバータ２１で変換されたデジタルオーディオ信号をＭＰＥＧ規格またはＡＣ−３規格に基づき固定ビットレートで圧縮されたデジタル信号に変換するＡＶエンコード部２２、ワークメモリとして使用されるバッファメモリ２３、ＡＶエンコード部２２から送られるデジタル信号をＤＶＤ規格に基づくファイル構造に合致した記録データ（ＭＰＥＧストリーム）を生成しデータプロセッサ部６０に出力するフォーマッタ部２４を有する。また、エンコーダ部２０では映像情報に重畳される字幕等の副映像情報もエンコード処理し、データプロセッサ部６０に出力する。なお、デジタルオーディオ／ビデオ信号がＡＶ入力部９１またはテレビジョン（ＴＶ）チューナ部９２から入力された際は、Ａ／Ｄコンバータ２１への入力はパススルーされ、デジタルオーディオ／ビデオ信号は直接ＡＶエンコード部２１に入力される。さらに、エンコーダ部２０は、電子透かし情報やＣＧＭＳ方式の付加情報（以下、コピー制御情報と称する）を検出する。検出されたコピー制御情報はＭＰＵ部１０に、またＨＤＤ部７０またはディスクドライブ部４０を介して磁気ディスクまたはＤＶＤ−ＲＡＭディスク３０のデータ管理領域に保存される。なお、ＣＧＭＳ方式については公知であるため、ここでは説明を省略する。
【００１６】
デコーダ部５０は、ディスクドライブ部４０およびデータプロセッサ部６０を介してＤＶＤ−ＲＡＭディスク３０から読み出されるＤＶＤ規格のファイル構造に合致しＭＰＥＧ圧縮された記録データからオーディオデータ部分およびビデオデータ部分ならびに副映像情報部分を分離するセパレータ部５１、セパレータ部５１が分離処理を行う際のワークメモリとして用いられるメモリ５２、セパレータ部５１で分離されたオーディオデータ部分およびビデオデータ部分ならびに副映像情報部分をデコード（復元処理）するＡＶデコード部５３、デコードされたビデオデータおよび副映像情報を重畳して出力するビデオプロセッサ部５４を有する。
【００１７】
ビデオプロセッサ部５４から出力されるビデオデータはビデオミキシング部８０およびＤ／Ａコンバータ８１を介してモニタ部８２に出力される。また、ＡＶデコード部５３でデコード処理されたオーディオデータはＤ／Ａコンバータ８３を介してスピーカ部８４に出力される。
【００１８】
なお、ＭＰＵ部１０がエンコーダ部２０、デコーダ部５０、ディスクドライブ部４０、データプロセッサ部６０等を制御するタイミングは、システムタイムカウンタ（以下、ＳＴＣと称する）部９３からの時間データに基づく。
【００１９】
ここで、映像／音声情報を一時的にＨＤＤ部７０内の磁気ディスクに記録する際のＤＶＤデジタルビデオレコーダの動作を図１および図２を参照して説明する。図２は磁気ディスクに映像／音声情報を一時的に記録する際のＤＶＤデジタルビデオデコーダの動作を説明するためのフローチャートである。
【００２０】
ユーザがキー入力部１３を介してＤＶＤデジタルビデオデコーダ１に対し、ＡＶ入力部９１やＴＶチューナ部９２から入力される映像／音声情報をＨＤＤ部７０内の磁気ディスクへ一時的に記録する旨を指示すると、ＭＰＵ部１０がエンコーダ部２０を制御し、入力される映像／音声情報の磁気ディスクへの記録動作が開始される。（ステップＳ２０１）
エンコーダ部２０は入力される映像／音声情報をＭＰＥＧ１またはＭＰＥＧ２規格に基づきエンコードしＤＶＤ規格に基づくファイル構造の記録データ（ＭＰＥＧストリーム）を生成すると共に入力された映像／音声情報に含まれているコピー制御情報を検出する。ＭＰＵ部１０はエンコーダ部２０が検出したコピー制御情報を記録動作中全般にわたってチェックする。チェック時、ＭＰＵ部１０はコピー禁止を示す「Ｃｏｐｙ  Ｎｅｖｅｒ」というコピー制御情報が存在するか否かを判断する。（ステップＳ２０３）
コピー制御情報が「Ｃｏｐｙ  Ｎｅｖｅｒ」を示している箇所があると判断した際、ＭＰＵ部１０は読み込んだ記録データを破棄し、記録動作を中止する。（ステップＳ２０５）
コピー制御情報が「Ｃｏｐｙ  Ｎｅｖｅｒ」を示していないと判断した際、ＭＰＵ部１０は１回のみコピー可を示す「Ｃｏｐｙ  Ｏｎｃｅ」というコピー制御情報が存在するか否かを判断する。（ステップＳ２０７）
コピー制御情報が「Ｃｏｐｙ  Ｏｎｃｅ」を示している箇所があると判断した際、ＭＰＵ部１０は「Ｃｏｐｙ  Ｏｎｃｅ」を示す情報があったことをＭＰＵ部１０内のＲＡＭ部１２に格納する。（ステップＳ２０９）
ステップＳ２１１の終了後、ＭＰＵ１０はデータプロセッサ部６０に対しコピー制御情報の書き換えを指示する。ＭＰＵ部１０からの指示により、データプロセッサ部６０はエンコーダ部２０のフォーマッタ部２４からデータプロセッサ部６０に供給されるＤＶＤ規格に基づくファイル構造に合致した記録データ（ＭＰＥＧストリーム）中に格納されているコピー制御情報を「Ｃｏｐｙ  Ｏｎｃｅ」を示す情報から「Ｃｏｐｙ  Ｎｅｖｅｒ」を示す情報に書き換える。（ステップＳ２１１）
ステップＳ２１１の終了後、データプロセッサ部６０がＨＤＤ部７０にＤＶＤ規格に基づくファイル構造に合致した記録データ（ＭＰＥＧストリーム）を供給することにより、入力された映像／音声情報の磁気ディスクへの一時的記録処理が行なわれる。なお、ステップＳ２０７において、コピー制御情報が「ＣｏｐｙＯｎｃｅ」であることを示していないと判断された際、入力された映像／音声情報が制限なくコピーができることを示す「Ｃｏｐｙ  Ｆｒｅｅ」であると判断され、データプロセッサ部６０はフォーマッタ部２４から供給される記録データ（ＭＰＥＧストリーム）をそのままＨＤＤ部７０に供給し、ＨＤＤ部７０により供給された記録データの磁気ディスクへ一時的記録処理が行なわれる。（ステップＳ２１３）
その後、ＭＰＵ部１０は記録データ全般にわたり記録処理が終了したか否かを判断し（ステップＳ２１５）、記録データ全般にわたり記録処理が終了していないと判断された際、ＭＰＵ部１０はステップＳ２０１に処理を戻し、記録データ全体の記録処理を行う。
【００２１】
記録データ全体の記録処理が終了したと判断された際、ＭＰＵ部１０はＲＡＭ部１２に「Ｃｏｐｙ  Ｏｎｃｅ」を示す情報が格納されているか否かを判断する。（ステップＳ２１７）
ＲＡＭ部１２に「Ｃｏｐｙ  Ｏｎｃｅ」を示す情報が格納されていると判断された際、ＭＰＵ部１０はＨＤＤ部７０を介して磁気ディスクのデータ管理領域に、記録した映像／音声情報が少なくとも一部に「Ｃｏｐｙ  Ｏｎｃｅ」を示すコピー制御情報を有していたことを示す情報を保存する。（ステップＳ２１９）
テレビ番組の録画等においては、録画開始のタイミングを番組直前のコマーシャル部分から始め、そのままテレビ番組本編を録画するようなケースがある。この場合、コマーシャル部分は「Ｃｏｐｙ  Ｆｒｅｅ」だが、本編は「Ｃｏｐｙ  Ｏｎｃｅ」といった場合がある。したがって、ＭＰＵ１０部によるコピー制御情報のチェックは、録画開始から録画終了まで繰り返し行ない、一部でも「Ｃｏｐｙ  Ｏｎｃｅ」の部分があった際には録画したデータはそのままダビング処理できずダビング時にはコピー制御情報のチェックを行なう必要があることを示さなければならない。上記ステップＳ２１９までは、このように記録の途中で部分的に「Ｃｏｐｙ  Ｏｎｃｅ」や「Ｃｏｐｙ  Ｎｅｖｅｒ」の箇所があることを考慮した処理を行なっている。
【００２２】
ＲＡＭ部１２に「Ｃｏｐｙ  Ｏｎｃｅ」を示す情報が格納されていないと判断された際、ＭＰＵ部１０は磁気ディスクのデータ管理領域に、記録した映像／音声情報が全て「Ｃｏｐｙ  Ｆｒｅｅ」を示すコピー制御情報を有していたことを示す情報を保存する。（ステップＳ２２１）
磁気ディスクのデータ管理領域に「Ｃｏｐｙ  Ｆｒｅｅ」を示す情報が格納されるということは、コピー制御情報のチェックを必要とせずに記録データのダビング処理が行なえることを示す。
【００２３】
図３は磁気ディスクのデータ管理領域に格納されるコピー制御情報を説明するための図である。
【００２４】
磁気ディスク３０１にデータが記録される際、ＭＰＵ部１０は記録した番組やプログラム（以下、タイトルと称する）に関する記録位置情報／記録開始時間情報／記録終了時間情報等を含むタイトル情報を磁気ディスク３０１のデータ管理領域のプログラム情報ファイル３０３に格納する。図３においては、プログラム情報ファイル３０３の領域３０３ａにタイトル＃１に関するタイトル情報が、領域３０３ｂにタイトル＃２に関するタイトル情報が格納されていることを示している。また、ＭＰＵ部１０は記録した情報に関するコピー制御情報を示す情報をコピー制御情報ファイル３０５に格納する。コピー制御情報ファイル３０５の各領域はプログラム情報ファイル３０３の各領域にそれぞれ対応している。すなわち、図３においてコピー制御情報ファイル３０５の領域３０５ａはプログラム情報ファイル３０３の領域３０３ａに、コピー制御情報ファイル３０５の領域３０５ｂはプログラム情報ファイル３０３の領域３０３ｂにしている。図３は領域３０５ａにはタイトル＃１が「Ｃｏｐｙ  Ｆｒｅｅ」であることを示す情報が、領域３０５ｂにはタイトル＃２が「Ｃｏｐｙ  Ｏｎｃｅ」であることを示す情報が格納されていることを示している。
【００２５】
次に、磁気ディスクに一時的に記録されたデータをＤＶＤ−ＲＡＭディスクにダビングする際のＤＶＤデジタルビデオレコーダの動作を図１、図３、図４を参照して説明する。図４は磁気ディスクに記録されたデータをＤＶＤ−ＲＡＭディスクにダビング処理する際のＤＶＤデジタルビデオデコーダの動作を説明するためのフローチャートである。
【００２６】
ユーザから磁気ディスクに記録された映像／音声情報をＤＶＤ−ＲＡＭディスク３０にダビングする旨の指示がキー入力部１３を介してＭＰＵ部１０に送られると、ＭＰＵ部１０はユーザにより指定されたタイトルに対応するコピー制御情報を示す情報を図３のコピー制御情報ファイル３０５から読み出す。ＭＰＵ部１０は読み出したコピー制御情報を示す情報が「Ｃｏｐｙ  Ｆｒｅｅ」を示しているか否かをチェックする。（ステップＳ４０１）
読み出したコピー制御を示す情報が「Ｃｏｐｙ  Ｆｒｅｅ」を示すとＭＰＵ部１０が判断した際、ＭＰＵ部１０はディスクドライブ部４０、データプロセッサ部６０、ＨＤＤ部７０にダビング処理を指示する。
【００２７】
ＭＰＵ部１０からのダビング指示を受けると、ＨＤＤ部７０はユーザからダビングを指定されたコピー元（タイトル）の記録データを磁気ディスクから読み出す。（ステップＳ４０３）
ＨＤＤ部７０は読み出した記録データ（ＭＰＥＧストリーム）をデータプロセッサ部６０に供給する。データプロセッサ部６０はＨＤＤ部７０から供給された記録データ（ＭＰＥＧストリーム）をディスクドライブ部４０に供給し、ディスクドライブ部４０はデータプロセッサ部４０から供給された記録データ（ＭＰＥＧストリーム）をＤＶＤ−ＲＡＭディスク３０に保存する。（ステップＳ４０５）
また、ダビング処理時において、ＭＰＵ部１０はユーザからダビング処理を指定されたタイトルに対応するタイトル情報およびコピー制御情報を示す情報を、図３に示す磁気ディスク３０１上のプログラム情報ファイル３０３およびコピー制御情報ファイル３０５から読み出してディスクドライブ部４０に供給する。ディスクドライブ部４０は供給されたタイトル情報およびコピー制御情報を示す情報をＤＶＤ−ＲＡＭディスク３０に設けられるデータ管理領域中のプログラム情報ファイルおよびコピー制御情報ファイルにそれぞれ保存する。これにより、ＤＶＤ−ＲＡＭディスク３０はダビング処理によりコピーされた記録データについてのタイトル情報およびコピー制御情報を保持することになる。
【００２８】
以上の動作により、ダビング処理時、コピー元の記録データのコピー制御情報が「Ｃｏｐｙ  Ｆｒｅｅ」を示すとき、コピー元の記録データ（ＭＰＥＧストリーム）をデコード処理してコピー制御情報の再チェックを行なうことなくコピー先のＤＶＤ−ＲＡＭディスク３０にコピーすることができ、高速ダビング処理が実現できる。
【００２９】
ステップＳ４０１において、ＭＰＵ部１０が読み出したコピー制御を示す情報が「Ｃｏｐｙ  Ｆｒｅｅ」を示していないと判断した際、記録データ中に「Ｃｏｐｙ  Ｏｎｃｅ」を示す箇所が存在するかコピー制御情報ファイルにコピー制御情報を示す情報を格納しない記録装置で記録が行なわれたこと意味し、ＭＰＵ部１０は記録データのデコード処理／再エンコード処理して記録データ中のコピー制御情報をチェックしながらダビング処理を行なうための指示をエンコーダ部２０、デコーダ部３０、ディスクドライブ部４０、データプロセッサ部６０、ＨＤＤ部７０に与える。
【００３０】
ここで、コピー制御情報ファイルにコピー制御情報を示す情報を格納しない記録装置で記録が行なわれたとは、本実施形態はＤＶＤデジタルビデオレコーダ１に内蔵された磁気ディスクからＤＶＤ−ＲＡＭディスクへのダビング処理であるが、他の実施形態としてコピー制御情報ファイルにコピー制御情報を示す情報を格納しない他の記録装置で情報が記録されたＤＶＤ−ＲＡＭディスクをレコーダ１に装着し、このＤＶＤ−ＲＡＭディスクからレコーダ１に内蔵された磁気ディスクへダビング処理を行なう場合である。
【００３１】
ＭＰＵ部１０からのダビング指示を受けると、ＨＤＤ部７０はユーザからダビングを指定されたコピー元（タイトル）の記録データを磁気ディスクから読み出す。（ステップＳ４０９）
ＨＤＤ部７０は読み出した記録データ（ＭＰＥＧストリーム）をデータプロセッサ部６０に供給する。データプロセッサ部６０はＨＤＤ部７０から供給された記録データ（ＭＰＥＧストリーム）をデコーダ部３０に供給する。
【００３２】
デコーダ部３０はデータプロセッサ部６０から供給されたＭＰＥＧストリームをデコード（復元処理）して元の記録データを生成する。（ステップＳ４１１）
ＭＰＵ部１０はデコーダ部３０が復元した記録データを基にコピー制御情報の検出処理を行なう。（ステップＳ４１３）
ＭＰＵ部１０はコピー制御情報が「Ｃｏｐｙ  Ｆｒｅｅ」を示す情報であるか否かを判断する。（ステップＳ４１５）
コピー制御情報が「Ｃｏｐｙ  Ｆｒｅｅ」を示す情報ではないと判断した際、ＭＰＵ部１０は読み込んだ記録データを破棄させ（ステップＳ４１７）、ダビング処理動作を中止する。
【００３３】
コピー制御情報が「Ｃｏｐｙ  Ｆｒｅｅ」を示す情報であると判断した際、ＭＰＵ部１０は読み込んだ記録データをＤＶＤ−ＲＡＭディスクに保存するようディスクドライブ部４０、データプロセッサ部６０に指示する。エンコーダ部２０はデコーダ部３０により復元された記録データを再度エンコード処理する。データプロセッサ部６０はエンコーダ部２０から供給された記録データをディスクドライブ部４０に供給し、ディスクドライブ部４０は供給された記録データをＤＶＤ−ＲＡＭディスク３０に保存する。（ステップＳ４１９）
ＭＰＵ部１０はユーザが指定したタイトル全体のコピー処理が終了したか否かを判断し（ステップＳ４２１）、コピー処理が全て終わるまでステップＳ４０９からステップＳ４１９までの処理を繰り返し実行させる。
【００３４】
なお、ＭＰＵ部１０がチェックしたコピー制御情報はＤＶＤ−ＲＡＭディスク３０のコピー制御情報ファイルに保存される。
【００３５】
以上説明したように、本実施形態によれば第１回目の記録処理時に記録データに関するコピー制御情報をディスクのコピー制御情報ファイルに格納し、第２回目のコピー時すなわちダビング処理時にコピー制御情報ファイルに格納されたコピー制御情報を読み出し、読み出したコピー制御情報が「Ｃｏｐｙ  Ｆｒｅｅ」を示している際にはデコード処理／再エンコード処理することなくＭＰＥＧ圧縮されたデータを磁気ディスクからＤＶＤ−ＲＡＭディスクにコピーするので、ダビング処理が高速に行なえる。
【００３６】
なお、本実施形態は磁気ディスクからＤＶＤ−ＲＡＭディスクへのダビング処理であったが、本発明はこれに限らず、ＤＶＤ−ＲＡＭディスクから磁気ディスクへのダビング処理、磁気ディスクから磁気ディスクへのダビング処理、ＤＶＤ−ＲＡＭディスクからＤＶＤ−ＲＡＭディスクへのダビング処理等、記録可能媒体から記録可能媒体へのダビング処理全般に適用できる。また、本発明はビデオレコーダ専用装置に限らず、パソコンにＨＤＤおよびＤＶＤ−ＲＡＭドライブを搭載したシステム等においても適用可能である。
【００３７】
【発明の効果】
本発明によれば、１回目の情報記録時に記録データに関するコピー制御情報を保存しておき、ダビング（コピー）処理時に保存したコピー制御情報をチェックしたうえでダビング処理を行ない、保存されたコピー制御情報が制限無くコピーが行えることを示すときにはデコード／エンコード処理することなく記録データのダビング処理を行なうので、不正コピー防止チェック処理を行ないつつダビング（コピー）処理に要する時間を短くすることができる。
【図面の簡単な説明】
【図１】ＤＶＤデジタルビデオレコーダの構成を説明するブロック図。
【図２】磁気ディスクに映像／音声情報を一時的に記録する際のＤＶＤデジタルビデオデコーダ１の動作を説明するためのフローチャート。
【図３】磁気ディスクのデータ管理領域に格納されるコピー制御情報を説明するための図。
【図４】磁気ディスクに記録されたデータをＤＶＤ−ＲＡＭディスクにダビング処理する際のＤＶＤデジタルビデオデコーダの動作を説明するためのフローチャート。
【符号の説明】
１    ＤＶＤデジタルビデオレコーダ
１０    ＭＰＵ部
１２    ＲＡＭ部
１３    キー入力部
１４    表示部
２０    エンコーダ部
２２    フォーマッタ部
３０    ＤＶＤ−ＲＡＭディスク
４０    ディスクドライブ部
５０    デコーダ部
６０    データプロセッサ部
７０    ＨＤＤ部
３０１    磁気ディスク
３０５    プログラム情報ファイル
３０７    コピー制御情報ファイル
【図１】
0003607595.tif 000002
【図２】
0003607595.tif 000003
【図３】
0003607595.tif 000004
【図４】
0003607595.tif 000005